(57)【特許請求の範囲】
【請求項１】
上方に開口した有底筒状のカバー体の筒内部に柱状のハウジングの長手方向端部を収納配置し、上記カバー体の内底面に配置した底面板の側端縁から外方に突設させた爪片をカバー体の内側面に食い込ませ、上記底面板の側端縁からカバー体の内側面に沿って立設した上立片に備えた弾性係止部をハウジングの外面に突設した係止突部に係止させてなるカバー体取付構造において、取付具の底面板の形状及びカバー体の内底面の形状をそれぞれ４つの辺と４つの角部とを有して形成すると共に、底面板をカバー体の内底面よりも小さく形成し、爪片を底面板の側端縁から外方斜め上方に突設し、底面板の各角部にカバー体の内側面に沿わせる位置決め突片をそれぞれ外方斜め上方に突設し、位置決め突片の底面板に対する傾斜角度を爪片の底面板に対する傾斜角度よりも小さくし、各位置決め突片をカバー体の対応する角部の内側面に係止したことを特徴とするカバー体取付構造。
【発明の詳細な説明】
【０００１】
【発明の属する技術分野】
本発明は、柱状のハウジングの長手方向端部を被覆するように有底筒状のカバー体を着脱自在に装着するカバー体取付構造に関する発明である。
【０００２】
【従来の技術】
従来から、柱状のハウジング２の長手方向端部を被覆するように有底筒状のカバー体１を着脱自在に装着するにあたっては、上記カバー体１の底部に配置した上記カバー体１と別体の取付具を介してカバー体１をハウジング２に装着させるようなカバー体取付構造が採用されている。例えば、図６には縦長柱状のハウジング２、有底筒状のカバー体１を有した毛刈り機を示す。この毛刈り機の構造を簡単に説明すると、ハウジング２の内部に収納配置されたモータ１２や駆動機構１１によりハウジング２の先端に備えたトリマー刃１０を駆動させるものであり、ハウジング２の基端部に設けた電池収納部１３を有底筒状のカバー体１で被覆し、上記ハウジング２の先端部をキャップ１５で覆って構成されている。このカバー体１及びキャップ１５は着脱自在にハウジング２に装着されるものであり、カバー体１はハウジング２の電池収納部１３に収納させる電源電池を取替可能にするものである。このカバー体１をハウジング２に装着するにあたっては、上述したように、有底筒状のカバー体１の底部に配置した取付具３’を介して行わせている。
【０００３】
上記取付具３’は、図７に示すようなものであり、カバー体１の内底面１ａに載置させる底面板４と上記底面板４からカバー体１の内側面１ｂに沿って立設させる上立片６とで主体が構成され、上記底面板４の側端縁からは複数個の爪片５を外方斜め上方に突設すると共に、上記上立片６にはハウジング２の外面に突設した係止突部８［図８（ａ）］に係止させる弾性係止部７を備えて構成されるものである。ここで、上記爪片５は突出先端部に頂角部５ａを有した三角形状の板片であって、その突出先端径をカバー体１の内底面１ａの外径よりも大きく形成しているものである。この取付具３’をカバー体１の底部に配置させるにあたっては、上記取付具３の底面板４をカバー体１の上方開口から押し込むように圧入させて行うものであり、上記爪片５の突出先端部をカバー体１の内側面１ｂに食い込ませて、図８（ｂ），図９（ｂ）のように、取付具３’をカバー体１の底部に固定させるものである。
【０００４】
このようにカバー体１の底部には取付具３’が備えられるものであるが、このカバー体１をハウジング２に装着するには、カバー体１の筒内部にハウジング２の基端部を挿入させ、ハウジング２の基端部の外面に突設した係止突部８を取付具３’の弾性係止部７に係止させることで行われるものである。
【０００５】
【発明が解決しようとする課題】
しかし、この取付具３’の底面板４をカバー体１の上方開口から圧入する際には、図９（ａ）に示すように、上記複数個の爪片５のうちいくつかの爪片５だけカバー体１の内側面１ｂに食い込むと共に他の爪片５はカバー体１の内側面１ｂに食い込まない状態で、底面板４がカバー体１の上方開口から圧入されてしまい、カバー体１の内底面１ａの中心と取付具の底面板４の中心とがずれてしまって上立片６をカバー体１の内側面１ｂに沿わせて配置できなくなるといった取付具３’のカバー体１への配置不良が起き得るものである。そして、上立片６にはハウジング２の係止突部８が係止する弾性係止部７が設けられているので、所定位置に配置できなかった上立片６においては上記弾性係止部７とハウジング２の係止突部８との係止不良が起きてしまい、すなわち、カバー体１とハウジング２との装着不良が起きてしまうものであった。
【０００６】
本発明は上記の点に鑑みてなされたものであり、取付具のカバー体への配置不良を生じさせないでカバー体をハウジングに確実に装着させ得るカバー体取付構造を提供することを課題とするものである。
【０００７】
【課題を解決するための手段】
上記課題を解決するために本発明の請求項１に係るカバー体取付構造は、上方に開口した有底筒状のカバー体１の筒内部に柱状のハウジング２の長手方向端部を収納配置し、上記カバー体１の内底面１ａに配置した底面板４の側端縁から外方に突設させた爪片５をカバー体１の内側面１ｂに食い込ませ、上記底面板４の側端縁からカバー体１の内側面１ｂに沿って立設した上立片６に備えた弾性係止部７をハウジング２の外面に突設した係止突部８に係止させてなるカバー体取付構造において、取付具３の底面板４の形状及びカバー体１の内底面１ａの形状をそれぞれ４つの辺と４つの角部とを有して形成すると共に、底面板４をカバー体１の内底面１ａよりも小さく形成し、爪片５を底面板４の側端縁から外方斜め上方に突設し、底面板４の各角部２０にカバー体１の内側面１ｂに沿わせる位置決め突片９をそれぞれ外方斜め上方に突設し、位置決め突片９の底面板４に対する傾斜角度θ１を爪片５の底面板４に対する傾斜角度θ２よりも小さくし、位置決め突片９をカバー体１の対応する角部２０の内側面１ｂに係止したことを特徴とする。これにより、底面板４をカバー体１の内底面１ａに配置させるにあたって、底面板４の角部２０から突設した４つの位置決め突片９をカバー体１の対応する角部２０の内側面１ｂに沿わせたことで底面板４をカバー体１の筒軸周りへのズレをも防止した上で所定位置に位置決めすることができ、上記位置決め突片９によって所定位置に位置された底面板４は上立片６も所定位置に配置させることができることから、上立片６の弾性係止部７をハウジング２の係止突部８に着実に係止させることができ、すなわち、カバー体１をハウジング２に確実に装着させることができる。
【０００８】
また、位置決め突片９を底面板４の側端縁から外方斜め上方に突設したので、カバー体１の上方開口からカバー体１の内底面１ａに向って底面板４を圧入させる際には、位置決め突片９はカバー体１の内側面１ｂから受ける力を流すことができるものであり、位置決め突片９をカバー体１の内側面１ｂに引っ掛けることなく底面板４をカバー体１にスムーズに圧入させることができるものである。
【０００９】
また、爪片５を位置決め突片９と共に底面板４の側端縁から外方斜め上方に突設し、位置決め突片９の底面板４に対する傾斜角度θ１を爪片５の底面板４に対する傾斜角度θ２よりも小さくしたので、爪片５を位置決め突片９と共に底面板４の側端縁から外方斜め上方に突設したことで、カバー体１の上方開口からカバー体１の内底面１ａに向って底面板４を圧入させる際には、上記爪片５及び位置決め突片９はカバー体１の内側面１ｂから受ける力を流すことができるものであり、上記爪片５及び位置決め突片９をカバー体１の内側面１ｂに引っ掛けることなく底面板４をカバー体１にスムーズに圧入させることができ、また、位置決め突片９の底面板４に対する傾斜角度θ１を爪片５の底面板４に対する傾斜角度θ２よりも小さくしたことで、カバー体１の上方開口から底面板４を挿入させる際に爪片５よりも先に位置決め突片９をカバー体１の内側面１ｂに当接させるものであって、底面板４をカバー体１の所定位置に位置決めさせた上で爪片５をカバー体１の内側面１ｂに食い込ませることができるものである。
【００１０】
【発明の実施の形態】
以下、本発明を添付図面に示す実施形態に基づいて説明する。
【００１１】
図１乃至図５に本発明の実施の形態の例を示す。柱状のハウジング２を備えると共に上記ハウジング２の長手方向端部を被覆するカバー体１を備えたものとして、本例では、主に眉毛等を刈る毛刈り機を例に挙げる。図５に示すように、この毛刈り機は縦長柱状のハウジング２を有しており、上記ハウジング２の先端部にはトリマー刃１０が外方に突出するように備えられると共に、上記ハウジング２の中央部にはそのハウジング２内に上記トリマー刃１０を駆動させる駆動機構１１や上記駆動機構１１を駆動させるモータ１２が収納され、また、上記ハウジング２の基端部には上記モータ１２を駆動させる電源電池（図示せず）を収納する電池収納部１３が形成され、そして、このハウジング２の中央部分には上記モータ１２の駆動をオンオフする操作ハンドル１４が備えられて構成されている。ここで、上記ハウジング２の先端及び中央部分においてはトリマー刃１０やモータ１２等を内部に収納させるために中空筒状に形成されているが、基端部の電池収納部１３においては側方に開口した半筒状に形成されている。
【００１２】
このハウジング２にはその基端部の電池収納部１３を被覆するように有底筒状のカバー体１が着脱自在に装着される。このカバー体１は通常ハウジング２に装着されていて、電池収納部１３に収納する電源電池の取替え時にハウジング２から取り外されるものである。また、上記ハウジング２の先端部分には外方突出したトリマー刃１０を保護するようにハウジング２の先端部分を被覆するようにキャップ１５が着脱自在に装着されている。なお、ハウジング２の中央部分に備えた操作ハンドル１４は縦方向にスライド自在に装着されていて上記操作ハンドル１４のスライド移動によりモータ１２の駆動のオンオフが操作されるものであるが、ハウジング２にキャップ１５を装着した際にはキャップ１５の下端部分が上記操作ハンドル１４の上端に当接するようにしてあり、操作ハンドル１４の誤作動を抑えてモータ１２の電源が入らないような構造にしているものである。つまり、毛刈り機の使用時にはキャップ１５はハウジング２から取り外されるものであり、毛刈り機の不使用時にキャップ１５はハウジング２に装着されるものである。
【００１３】
ここで、先に言うがカバー体１とハウジング２とは取付具３を介して装着されるものであり、以下に、取付具３の構造や上記取付具３のカバー体１への配置構造、そして、カバー体１のハウジング２の基端部への取付構造につき説明していく。
【００１４】
この取付具３は、図２に示すように、平板状の底面板４と上記底面板４の側端縁から略垂直上方に突設した１対の上立片６とで主体が構成されるものである。上記底面板４はカバー体１の内底面１ａの形状と略同型形状にするが上記カバー体１の内底面１ａよりも小さく形成されている。本例では、カバー体１の内底面１ａ及び上記底面板４は、上面視で左右端部に１対の直線部分２２を有すると共に上記対向した直線端面部を外方に凸である１対の円弧部分２１で連結し、直線部分２２と円弧部分２１との角部２０を有して形成された左右方向に長い略楕円形状に形成されている。この底面板４においては、角部２０における直線部分２２側の位置にそれぞれ位置決め突片９を外方斜め上方に突設させている。つまり底面板４には４つの角部２０に対応して位置決め突片９が４つ設けられている。なお、この位置決め突片９は略矩形状の板片であって、その突出先端部をカバー部１の内底面１ａの端縁に対応した位置に配置させるように形成したものである。また、上記角部２０における円弧部分２１側の位置にはそれぞれ爪片５を外方斜め上方に突設させており、また、円弧部分２１の左右方向の中央位置にも爪片５を外方斜め上方に突設させている。つまり、底面板４には４つの角部２０及び１対の円弧部分２１に対応して爪片５が６つ設けられている。なお、この爪片５は突出先端部に頂角部５ａを有した三角形状の板片であって、その突出先端部をカバー部１の内底面１ａの端縁よりも外方位置に配置させるように形成したものである。また、爪片５及び位置決め突片９にあってはいずれも底面板４から外方斜め上方に突設させているが、位置決め突片９の底面板４に対する傾斜角度θ１は爪片５の底面板４に対する傾斜角度θ２よりも小さくしてあるものである。また、上立片６においては、底面板４の直線部分２２の略中央部、つまり、一つの直線部分２２に設けた１対の位置決め突片９の間の位置に設けられている。この上立片６は上下に長い板棒状片であるが、この上立片６の上部には板棒状片を内方に凸状に屈曲させて形成した弾性係止部７が設けられている。この弾性係止部７はハウジング２の外面に形成した係止突部８［図８（ａ）参照］に係止させるものである。
【００１５】
上述した構成の取付具３のカバー体１への配設構造は、図１及び図４に示すように、位置決め突片９の突出先端部をカバー体１の内側面１ｂのうち直線部分２２に沿わせて位置させると共に爪片５の突出先端部である頂角部５ａをカバー体１の内側面１ｂのうち円弧部分２１に食い込ませ、底面板４をカバー体１の内底面１ａに載置させると共に上立片６をカバー体１の内側面１ｂに沿わせるようにしてカバー体１の底部に配置されるものである。このように底面板４の側端縁から突設した位置決め突片９をカバー体１の内側面１ｂに沿わせたことで、底面板４を所定位置に位置決めすると共に爪片５をカバー体１の内側面１ｂに食い込ませ、取付具３をカバー体１の底部の所定位置に固定できるものとしている。なお、本例ではカバー体１の内底面１ａの形状及び取付具３の底面板４の形状を角部２０を有した略楕円状のものに形成しており、取付具３の位置決め突片９をカバー体１の内側面１ｂの角部２０に係止させることができ、カバー体１の筒軸周りへの取付具３のズレをも防止しているものである。
【００１６】
そして、上記取付具３を備えたカバー体１のハウジング２への装着構造は、カバー体１の筒内部に挿入したハウジング２の基端部の外面に突設した係止突部８を取付具３の弾性係止部７に係止させ、カバー体１がハウジング２の基端部を被覆するように装着されるものである。ここで、係止突部８と弾性係止部７との係止においては、カバー体１に挿入したハウジング２の係止突部８と弾性係止部７とが縦方向に直線位置にあることが前提とされるが、ハウジング２の基端部における底面２ａやハウジング２の中央部における側外面２ｂをカバー体１の内側面に沿わせ得る形状にして、ハウジング２をカバー体１の筒軸周りにズレのないように挿入できるようにしてあり、一方、カバー体１には上述したように位置決め突片９により取付具３、ひいては上立片６及び弾性係止部７が所定位置に配置されていることから、係止突部８と弾性係止部７との係止を確実に行わせることができるようになっている。なお、本例では上記カバー体１の内底面１ａの形状及び取付具３の底面板４の形状が上面視で左右対称の形状になっているが、底面板４にはその左右端縁部から１対の上立片６を備えており、つまり、カバー体１の筒軸周りにおける取付具３の挿入方向を気にしなくとも、所定位置に確実に上立片６を配置できるものとしている。
【００１７】
なお、係止突部８と弾性係止部７との係止構造につき詳述すると、カバー体１の筒内部に挿入したハウジング２はハウジング２の外面に突設した係止突部８をカバー体１の内側面１ｂに沿わせて挿入されるものであり、この係止突部８はある位置で弾性係止部７を押圧するものである。この弾性係止部７は上記係止突部８による押圧を受けるとその凸形状を潰すように弾性変形をするものであり、係止突部８が弾性係止部７を通過した後に弾性係止部７は元の突形状に戻ることで、係止突部８と弾性係止部７とが係止するようになっている。このように、弾性係止部７を弾性変形させる程の力でハウジング２をカバー体１の筒内部に挿入または引き抜いたときのみ係止突部８を弾性係止部７に係止させたり係止を解除させたりできるようにして、すなわち、カバー体１がむやみにハウジング２から外れたりすることを避けると共にカバー体１のハウジング２への装着を着脱自在にさせているのである。
【００１８】
ここで、取付具３をカバー体１の底部に配置する際の取付作業は、図３に示すように、カバー体１の上方開口からカバー体１の内底面１ａに向けて取付具３の底面板４を圧入させて行うものである。このとき、カバー体１の内側面１ｂには爪片５及び位置決め突片９を擦るようにして底面板４はカバー体１の筒内部に圧入されるが、上記爪片５及び位置決め突片９は底面板４の側端縁から外方斜め上方に突設されているので、カバー体１の内側面１ｂから受ける力を流すことができてカバー体１の内側面１ｂに引っ掛かることなく、底面板４をカバー体１にスムーズに圧入させることができるようにしているのである。また、カバー体１の上方開口から底面板４を挿入させる際には、位置決め突片９の底面板４に対する傾斜角度θ１が爪片５の底面板４に対する傾斜角度θ２よりも小さくしているので、爪片５よりも先に位置決め突片９をカバー体１の内側面１ｂに当接させることができ、位置決め突片９により底面板４をカバー体１の所定位置に位置決めさせた上で爪片５をカバー体１の内側面１ｂに食い込ませることができるようにしているのである。すなわち、カバー体１の底部の所定位置に取付具３を固定させることができて、カバー体１とハウジング２との確実な装着が図られているのである。
【００１９】
【発明の効果】
上記のように本発明の請求項１記載の発明にあっては、上方に開口した有底筒状のカバー体の筒内部に柱状のハウジングの長手方向端部を収納配置し、上記カバー体の内底面に配置した底面板の側端縁から外方に突設させた爪片をカバー体の内側面に食い込ませ、上記底面板の側端縁からカバー体の内側面に沿って立設した上立片に備えた弾性係止部をハウジングの外面に突設した係止突部に係止させてなるカバー体取付構造において、取付具の底面板の形状及びカバー体の内底面の形状をそれぞれ４つの辺と４つの角部とを有して形成すると共に、底面板をカバー体の内底面よりも小さく形成し、爪片を底面板の側端縁から外方斜め上方に突設し、底面板の各角部にカバー体の内側面に沿わせる位置決め突片をそれぞれ外方斜め上方に突設し、位置決め突片の底面板に対する傾斜角度を爪片の底面板に対する傾斜角度よりも小さくし、位置決め突片をカバー体の対応する角部の内側面に係止したことにより、底面板をカバー体の内底面に配置させるにあたって、底面板の角部から突設した４つの位置決め突片をカバー体の対応する角部の内側面に沿わせて底面板をカバー体の筒軸周りへのズレをも防止した上で所定位置に位置決めすることができ、上記位置決め突片によって所定位置に位置された底面板は上立片も所定位置に配置させることができることから、上立片の弾性係止部をハウジングの係止突部に着実に係止させることができ、すなわち、カバー体をハウジングに確実に装着させることができる。
【００２０】
また、位置決め突片を底面板の側端縁から外方斜め上方に突設させたので、カバー体の上方開口からカバー体の内底面に向って底面板を圧入させる際には、位置決め突片はカバー体の内側面から受ける力を流すことができるものであり、位置決め突片をカバー体の内側面に引っ掛けることなく底面板をカバー体にスムーズに圧入させることができるものである。
【００２１】
また、爪片を位置決め突片と共に底面板の側端縁から外方斜め上方に突設したので、カバー体の上方開口からカバー体の内底面に向って底面板を圧入させる際には、上記爪片及び位置決め突片はカバー体の内側面から受ける力を流すことができるものであり、爪片及び位置決め突片をカバー体の内側面に引っ掛けることなく底面板をカバー体にスムーズに圧入させることができるものであり、また、位置決め突片の底面板に対する傾斜角度を爪片の底面板に対する傾斜角度よりも小さくしたので、カバー体の上方開口から底面板を挿入させる際に爪片よりも先に位置決め突片をカバー体の内側面に当接させることができ、底面板をカバー体の所定位置に位置決めさせた上で爪片をカバー体の内側面に食い込ませることができ、カバー体のハウジングへの装着不良を無くすることができるものである。
【図面の簡単な説明】
【図１】本発明の実施の形態の例を示すものであって、取付具を配置したカバー体の上面図である。
【図２】同上の取付具を示すものであり、（ａ）は上面図であり、（ｂ）は正面図であり、（ｃ）は側面図である。
【図３】同上の取付具をカバー体に配置する際の取付作業を説明する正面断面図である。
【図４】同上の取付具を配置したカバー体の正面断面図ある。
【図５】同上のカバー体及びキャップをハウジングに装着した状態の毛刈り機を示すものであり、（ａ）は左側面図であり、（ｂ）は縦断面図であり、（ｃ）は右側面図である。
【図６】従来技術の例を示す毛刈り機であって、（ａ）は左側面図であり、（ｂ）はキャップを外した状態の縦断面図であり、（ｃ）は右側面図である。
【図７】同上の取付具の正面図である。
【図８】同上の毛刈り機であって、（ａ）はハウジングの正面図であり、（ｂ）は取付具を備えたカバー体の一部切り欠き正面図である。
【図９】同上の取付具を配置したカバー体を示すものであって、（ａ）は取付不良のある取付具を備えたカバー体の上面図であり、（ｂ）は取付不良のない取付具を備えたカバー体の上面図である。
【符号の説明】
１  カバー体
１ａ  内底面
１ｂ  内側面
２  ハウジング
３  取付具
４  底面板
５  爪片
５ａ  頂角部
６  上立片
７  弾性係止部
８  係止突部
９  位置決め突片
【図１】
0004069596.tif 000002
【図２】
0004069596.tif 000003
【図３】
0004069596.tif 000004
【図４】
0004069596.tif 000005
【図５】
0004069596.tif 000006
【図６】
0004069596.tif 000007
【図７】
0004069596.tif 000008
【図８】
0004069596.tif 000009
【図９】
0004069596.tif 000010